(57)【要約】【課題】本発明は、光路を折り曲げる反射部材を有してなるデジタルカメラであって、反射部材の角度の調整を容易かつ正確に実施可能であり、かつ衝撃の入力による反射部材の位置や傾きのずれが発生することのない高い耐衝撃性を有するデジタルカメラを提供する。【解決手段】本発明は、反射面を有する反射部材と、反射部材を保持する樹脂製の保持枠と、レンズ群と、レンズ群を保持する樹脂製の固定枠と、を有し、保持枠は、複数のねじ部材によって固定枠に固定されてなる撮像光学系ユニットを筐体内に具備するデジタルカメラであって、ねじ部材は、同軸上に直列に配された２つのタッピンねじ部を具備してなり、保持枠と固定枠とは、反射部材の周囲の少なくとも３箇所において、ねじ部材により固定されていることを特徴とする。【選択図】図３
2009217047.tif 000002
【特許請求の範囲】
【請求項１】
第１の光軸を該第１の光軸に直交する第２の光軸に折り曲げる反射面を有する反射部材と、
該反射部材を保持する樹脂製の保持枠と、
前記第２の光軸に沿って配設されたレンズ群と、
前記レンズ群を保持する樹脂製の固定枠と、
を有し、前記保持枠は、複数のねじ部材によって前記固定枠に固定されてなる撮像光学系ユニットを筐体内に具備するデジタルカメラであって、
前記ねじ部材は、
一端側に形成された第１のタッピンねじ部と、
該第１のタッピンねじ部と同軸上の他端側に形成され、前記第１のタッピンねじ部と同一のねじれ方向を有し前記第１のタッピンねじ部よりも外径が大きく、かつ前記第１のタッピンねじ部と異なるピッチを有する第２のタッピンねじ部と、を有してなり、
前記保持枠と前記固定枠とは、
前記第２の光軸に沿う方向から見た場合に前記反射部材の周囲の少なくとも３箇所において、前記第１のタッピンねじ部が前記固定枠に形成された下穴内にねじ込まれ、かつ前記第２のタッピンねじ部が前記保持枠に形成された貫通孔内にねじ込まれた状態において互いに固定されていることを特徴とするデジタルカメラ。
【請求項２】
前記第２のタッピンねじ部は、前記第１のタッピンねじ部よりも大きいピッチを有することを特徴とする請求項１に記載のデジタルカメラ。
【請求項３】
前記第２のタッピンねじ部は、前記第１のタッピンねじ部よりも小さいピッチを有することを特徴とする請求項１に記載のデジタルカメラ。
【発明の詳細な説明】
【技術分野】
【０００１】
本発明は、第１の光軸を該第１の光軸に直交する第２の光軸に折り曲げる反射面を有してなる結像光学系ユニットを具備したデジタルカメラに関する。
【背景技術】
【０００２】
被写体の静止画像又は動画像をＣＣＤ等の撮像素子により撮像するデジタルカメラの一形態として、撮像光学系にプリズムやミラーにより光路を折り曲げるいわゆる折り曲げ光学系が適用されたものが知られている。
【０００３】
折り曲げ光学系を備えたデジタルカメラは、被写体光をプリズムやミラー等の反射部材により直角に折り曲げた後に、筐体の幅方向又は縦方向に配列されたレンズ群により撮像素子の受光面上に結像させるため、デジタルカメラの奥行きを薄くすることができるという利点を有する。
【０００４】
折り曲げ光学系を備えたデジタルカメラでは、例えば図８に示すような、被写体光束の光軸である第１の光軸Ｏ１を第２の光軸Ｏ２に直角に折り曲げる反射部材５０１と、第２の光軸Ｏ２上に配設された複数のレンズ群５０２と、レンズ群５０２の結像面に配設された撮像素子５０３とを有してなる撮像光学系ユニット５００が筐体内部に配設されている。
【０００５】
反射部材５０１は、枠状の保持枠５１０に保持されており、該保持枠５１０に穿設された貫通孔に挿通される複数のねじ５３０により、撮像光学系ユニット５００の骨格を構成する固定枠５２０に固定される。
【０００６】
この場合、保持枠５１０と固定枠５２０との第２の光軸Ｏ２に直交する方向の固定は、ねじ５３０の推力により発生する摩擦力によってなされているため、衝撃力が入力された場合にずれが生じやすい。複数のレンズ群５０２及び撮像素子５０３に対して反射部材５０１の位置や角度がずれてしまうと、得られる像に歪が発生したり解像度が低下したりする。
【０００７】
そこで、このような衝撃の入力により部材間の位置ずれが発生することを防ぐために、例えば実用新案登録第２５８５８２８号公報のように、一方の部材に螺合される皿ねじのテーパ面を他方の部材にあてつけることにより、部材間の位置決めを強固なものとする方法が知られている。
【０００８】
ところで、図８に示す撮像光学系ユニット５００では、得られる像の歪や解像度を最適な状態とするために、組み立て時において固定枠５２０に対する保持枠５１０の角度を調整可能に構成されている。
【０００９】
このような２部材間の角度を調整するには、所定の厚さのシムやワッシャのようなスペーサを両部材間の所定の箇所に適宜に挿入する方法が知られている。
【００１０】
また、特開２００１−５９９２８号公報に開示されているように、押しばね又は引きばねを部材間に配設し、押しねじ又は引きねじにより部材間の距離を変化させることで２部材間の角度を調整する方法も知られている。
【００１１】
また、このような押しねじ又は引きねじにより部材間の距離を変化させる場合に、より細かい調整を可能とするために、特許第２５５１２１９号公報に開示されているように、２つの異なるピッチを有するねじ部を有する差動ねじを使用する方法が知られている。
【特許文献１】実用新案登録第２５８５８２８号公報
【特許文献２】特開２００１−５９９２８号公報
【特許文献３】特許第２５５１２１９号公報
【発明の開示】
【発明が解決しようとする課題】
【００１２】
例えば、図８に示す撮像光学系ユニット５００において、保持枠５１０と固定枠５２０との間に、適宜にスペーサを挿入することにより保持枠５１０と固定枠５２０との角度を調整する場合、ねじ５３０をはずしてスペーサを挿入する位置やスペーサの厚さを変更し、またねじ５３０を締め付けて結果を確認するという難易度が高くかつ煩雑な作業が必要であり、調整に必要な工数が大きいという問題がある。
【００１３】
またこの場合、保持枠５１０と固定枠５２０との第２の光軸Ｏ２に直交する方向の固定は、ねじ５３０の推力により発生する摩擦力によってなされているため、衝撃力が入力された場合にずれが生じやすい。
【００１４】
例えば保持枠にテーパ状のザグリ穴を設け、ねじ５３０を皿ビスとすることによりテーパ同士を当接させることで位置決めを強固にする方法が考えられる。しかしながらこの方法では、ザグリ穴と皿ビスとの軸が公差によりずれている場合に、テーパ同士が一部でしか接触しない、いわゆる片当たりが生じてしまい、やはり衝撃力の入力によりこの軸ずれ量だけ保持枠５１０がずれてしまうという問題がある。
【００１５】
また、保持枠５１０と固定枠５２０との間に、押しばねを配設してねじ５３０の締め込み量によって保持枠５１０と固定枠５２０との角度を調整する場合、角度の調整に必要な工数を減らすことは可能であるが、保持枠５１０を固定枠５２０に押さえつける力は弱まり、さらにねじ５３０に公差によるガタが存在するため、衝撃力が入力された場合に保持枠５１０のずれが生じやすいという問題がある。これは、ねじ５３０に代えて差動ネジを使用した場合でも同様である。
【００１６】
本発明は、上記問題点に鑑みてなされたものであり、第１の光軸を該第１の光軸に直交する第２の光軸に折り曲げる反射部材を有してなるデジタルカメラであって、反射部材の角度の調整を容易かつ正確に実施可能であり、かつ調整後には衝撃の入力による反射部材の位置や傾きのずれが発生することのない高い耐衝撃性を有するデジタルカメラを提供することを目的とする。
【課題を解決するための手段】
【００１７】
本発明に係るデジタルカメラは、第１の光軸を該第１の光軸に直交する第２の光軸に折り曲げる反射面を有する反射部材と、該反射部材を保持する樹脂製の保持枠と、前記第２の光軸に沿って配設されたレンズ群と、前記レンズ群を保持する樹脂製の固定枠と、を有し、前記保持枠は、複数のねじ部材によって前記固定枠に固定されてなる撮像光学系ユニットを筐体内に具備するデジタルカメラであって、前記ねじ部材は、一端側に形成された第１のタッピンねじ部と、該第１のタッピンねじ部と同軸上の他端側に形成され、前記第１のタッピンねじ部と同一のねじれ方向を有し前記第１のタッピンねじ部よりも外径が大きく、かつ前記第１のタッピンねじ部と異なるピッチを有する第２のタッピンねじ部と、を有してなり、前記保持枠と前記固定枠とは、前記第２の光軸に沿う方向から見た場合に前記反射部材の周囲の少なくとも３箇所において、前記第１のタッピンねじ部が前記固定枠に形成された下穴内にねじ込まれ、かつ前記第２のタッピンねじ部が前記保持枠に形成された貫通孔内にねじ込まれた状態において互いに固定されていることを特徴とする。
【発明を実施するための最良の形態】
【００１８】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１９】
（第１の実施形態）  
以下、本発明の第１の実施形態について図１から図５を参照して説明する。本実施形態は、一般に電子カメラ、デジタルカメラ等と称される撮像装置に本発明を適用したものである。
【００２０】
図１は、デジタルカメラ前面側を示す斜視図である。図２は、撮像光学系ユニットの構成を説明する図である。図３は、保持枠を固定枠に固定する締結構造を説明する図である。図４は、保持枠と固定枠とねじ部材との関係を断面で示す図である。図５は、ねじ部材を用いて保持枠を固定枠に固定する手順を説明する図である。
【００２１】
以下の説明において、図１に示すように、デジタルカメラを正立位置で構えた場合のカメラの左右方向をＸ方向とし、Ｘ方向と直交する上下方向をＹ方向とし、Ｘ、Ｙ方向に直交する前後方向をＺ方向とする。Ｚ方向は、被写体光束の光軸Ｏ１と平行な方向（デジタルカメラ１の厚み方向）であり、Ｚ方向にてカメラ本体１の被写体側を前側（前面側）とし、撮影者側を後側（背面側）とする。
【００２２】
デジタルカメラ１は、撮像光学系ユニット１００を内部に具備して構成されたデジタルカメラであり、略直方体の箱型形状からなる筐体を形成する外装部材と、この外装部材の内部に組み付けられる各種の組立体や電気回路等の構成部材と、この筐体の表面上に配設され前記内部構成部材と電気的又は機械的に接続された各種の情報入出力部材等によって主に構成されている。
【００２３】
具体的に本実施形態のデジタルカメラ１は、図１に示すように、前面、両側面、上面及び底面を覆うように形成された前面カバー部材２と、主に背面側を覆うように形成された背面カバー部材３とを組み合わせた箱形状の筐体を有する。この筐体の内部の所定の部位には撮像光学系ユニット１００が配設されている。
【００２４】
デジタルカメラ１の前面部には、内部に配設された撮像光学系ユニット１００に対して被写体光束を入射させるための撮影用窓２１や閃光発光装置４等が設けられている。
【００２５】
デジタルカメラ１の上面部にはシャッターボタン５、電源操作ボタン６等の操作部材が配設されている。また、図示しないがデジタルカメラ１の側面部にはストラップ取付金具や、電源電池及び記録媒体を収容する収容室等が設けられている。
【００２６】
また、デジタルカメラ１の背面部には、例えばズーム操作用ボタンや動作モード設定ボタンや撮影及び再生動作切換ボタンやメニュー表示操作ボタンや撮影領域切換ボタン（マクロボタン）やストロボモード切換ボタンやセルフタイマーボタンや露出補正切換ボタン等、使用者が本デジタルカメラ１の撮影動作時及び再生動作時に実行すべき各種の操作を入力するための複数の操作部材が設けられている。また、デジタルカメラ１の背面部には、液晶表示装置、ＥＬ表示装置等からなり情報を表示し出力する画像表示装置等も設けられている。
【００２７】
図２に示すように、撮像光学系ユニット１００は、デジタルカメラ１の前面部に設けられた撮影用窓２１から入射する被写体光束を、反射部材１０１の反射面１０１ａによってＹ方向下向きに略直角に折り曲げるとともに、デジタルカメラ１の底面側に受光面を上向きとして配設された撮像素子であるＣＣＤ１０９の受光面上に被写体像を結像する、いわゆる折り曲げ光学系（屈曲光学系）を有して構成されている。本実施形態では、反射部材１０１は直角プリズムからなるが、反射部材１０１は平面又は曲面により構成される反射面を有する他の光学部材により構成されてもよい。
【００２８】
以下、撮影用窓２１を透過して撮像光学系ユニット１００に入射する被写体光束の光軸を第１の光軸Ｏ１と称し、該第１の光軸Ｏ１が反射部材１０１の反射面１０１ａにより折り曲げられた光軸を第２の光軸Ｏ２と称する。すなわち、第１の光軸Ｏ１と第２の光軸Ｏ２とは、直交する関係にある。
【００２９】
撮像光学系ユニット１００は、ＣＣＤ１０９の受光面上に被写体像を結像するためのレンズ、プリズム、フィルタ等からなる複数のレンズ群と、シャッタユニットと、該複数のレンズ群及びシャッタユニットを駆動する駆動装置と、が固定枠１２０に保持されて構成されている。
【００３０】
具体的には、本実施形態の撮像光学系ユニット１００を構成する光学系は、上述した反射部材１０１を含む第１レンズ群と、第２レンズ群１０２と、第３レンズ群１０３と、第４レンズ群１０４との４つのレンズ群により構成される。
【００３１】
反射部材１０１を含む第１レンズ群は、詳しくは後述するが、枠部材である保持枠１１０により保持されており、該保持枠１１０は、複数のねじ部材１３０により固定枠１２０に固定されている。
【００３２】
第２レンズ群１０２、第３レンズ群１０３及び第４レンズ群１０４は、第１レンズ群の下方において第２の光軸Ｏ２に沿って、それぞれ図示しない進退機構により第２の光軸Ｏ２に沿って進退移動可能に固定枠１２０内において保持されている。そして、第４群レンズ１０４の下方には、ＣＣＤ１０９が配設されている。
【００３３】
また、第２の光軸Ｏ２上において、第２群レンズ１０２と第３群レンズ１０３との間にシャッタユニット１０５が配設されている。また、固定枠１２０には、駆動装置としてのフォーカシングモータ１０６、ズーミングモータ１０７及び図示しないシャッタ駆動モータが配設されている。
【００３４】
例えば、デジタルカメラ１の合焦動作時には、フォーカシングモータ１０６の回転によって第４群レンズ１０４が光軸Ｏ２に沿って進退移動される。また、デジタルカメラ１のズーム動作時には、ズーミングモータ１０７の回転によって第２群レンズ枠１０２及び第３群レンズ１０３が第２の光軸Ｏ２に沿って進退移動される。
【００３５】
上述した構成を有する撮像光学系ユニット１００は、ゴムやウレタン等の弾性又は粘弾性を有する緩衝部材を介して、前面カバー部材２及び背面カバー部材３からなるデジタルカメラ１の筐体内に保持されている。
【００３６】
以下に、本実施形態のデジタルカメラ１の撮像光学系ユニット１００における、固定枠１２０に保持枠１１０を固定する構成を詳細に説明する。
【００３７】
保持枠１１０は、直角プリズムからなる反射部材１１０の互いに直交する２面である入射面及び出射面が、それぞれ前方及び下方に露出するように保持する枠状の部材である。保持枠１１０は、樹脂又は複合材料等からなり、例えばＡＢＳ樹脂等の一般にエンジニアリングプラスチックと称される種類の樹脂により構成される。
【００３８】
保持枠１１０には、第１の光軸Ｏ１及び第２の光軸Ｏ２に直交する軸に沿う両方向、すなわち左右両方向に延出する板状の固定片１１１が形成されている。保持枠１１０の固定片１１１には、複数箇所に第２の光軸Ｏ２に平行に貫通する円形の貫通孔１１２が穿設されている。
【００３９】
複数の貫通孔１１２は、第２の光軸Ｏ２に沿う方向から見て保持枠１１０が保持する反射部材１０１の周りを囲むように配設される。本実施形態では、保持枠１１０から左方向に延出する固定片１１１に２つの貫通孔１１２が穿設され、保持枠１１０から右方向に延出する固定片１１１に１つの貫通孔１１２が穿設されている。
【００４０】
また、固定片１１１には、後述する固定枠１２０に立設された位置決めピン１２３が内部に嵌め合わされる嵌合孔１１３が穿設されている。嵌合孔１１３は、第２の光軸Ｏ２に沿う方向から見て反射部材１０１を挟むように左右に一つずつ形成されている。
【００４１】
固定枠１２０は、上述したように複数のレンズ群と該複数のレンズ群を駆動する駆動装置とを、内部に配設可能なように形成された枠状の部材である。固定枠１２０は、樹脂又は複合材料等からなり、例えばＡＢＳ樹脂等の一般にエンジニアリングプラスチックと称される種類の樹脂により構成される。
【００４２】
固定枠１２０の、上記保持枠１１０が固定される部位である上面部１２１には、保持枠１１０の固定片１１１に対向する平面部１２４が形成されており、該平面部１２４には、保持枠１１０の複数の貫通孔１１２と同軸となる位置において、複数の貫通孔１１２よりも径の小さい複数の下穴１２２が形成されている。本実施形態では、下穴１２２は、３つの貫通孔１１２に対応する３箇所に形成されている。また、固定枠１２０の平面部１２４には、保持枠１１０の嵌合孔１１３に対応する位置に、一対の位置決めピン１２３が立設されている。
【００４３】
ねじ部材１３０は、樹脂、金属、木材又は複合材料等の、上記保持枠１１０及び固定枠１２０を構成する樹脂よりも硬質な材料からなり、２つのねじ部が同軸上に直列に形成されている。ねじ部材１３０を構成する２つのねじ部は、タッピンねじ、セルフタッピングねじ又はタップタイト（登録商標）等と称される、下穴内に自らねじ立てを行いながら入り込む種類の雄ねじ形状を有している。
【００４４】
具体的には、図４に示すように、ねじ部材１３０は、先端側に形成された、ねじ山の外径がｄ１、ねじ山のピッチがｐ１の第１のタッピンねじ部１３１と、該第１のタッピンねじ１３１と同軸上の基端側に形成された、ねじ山の外径がｄ２、ねじ山のピッチがｐ２の第２のタッピンねじ部１３２とを具備して構成されている。第１のタッピンねじ部１３１と第２のタッピンねじ部１３２のねじれ方向は同一であり、本実施形態では順ねじ方向である。
【００４５】
ここで、第２のタッピンねじ部１３２の外径ｄ２は第１のタッピンねじ部１３１の外径ｄ１よりも大きく、かつ第２のタッピンねじ部１３２のピッチｐ２は第１のタッピンねじ部１３１のピッチよりも大きい。すなわち、本実施形態では、ｄ１＜ｄ２、ｐ１＜ｐ２の関係が成り立つ。
【００４６】
また、第１のタッピンねじ部１３１の外径ｄ１は、保持枠１１０に穿設された貫通孔１１２の内径よりも小さく、かつ固定枠１２０に形成された下穴１２２内にねじ込まれた場合に該下穴１２２内にねじ立てを行いながら入り込むことが可能なように設定されている。また、第１のタッピンねじ部１３１の長さは、保持枠１１０の貫通孔１１２が形成された固定片１１１の厚さよりも長くなるように設定されている。
【００４７】
一方、第２のタッピンねじ部１３２の外径ｄ２は、保持枠１１０に穿設された貫通孔１１２内にねじ込まれた場合に該貫通孔１１２内にねじ立てを行いながら入り込むことが可能なように設定されている。
【００４８】
そして、本実施形態では、図４に示すように、ねじ部材１３０の第１のタッピンねじ部１３１が固定枠１２０に形成された下穴１２２内にねじ込まれ、かつ第２のタッピンねじ部１３２が保持枠１１０に形成された貫通孔１１２内にねじ込まれることにより、保持枠１１０は固定枠１２０に対して固定されている。このとき、保持枠１１０の固定片１１１と固定枠１２０とは、所定の距離Ａだけ離間している。
【００４９】
以下に、上述したねじ部材１３０を用いて、保持枠１１０を固定枠１２０に固定する作業手順を説明する。
【００５０】
まず、図５に示すように、保持枠１１０の固定片１１１と固定枠１２０とを接触させた状態とし、同軸上に配置された貫通孔１１２及び下穴１２２に対して、ねじ部材１３０を回してねじ込む。
【００５１】
ここで、ねじ部材１３０の先端側に形成されている第１のタッピンねじ部１３１は、貫通孔１１２の内径よりも小径であり、かつ固定片１１１の厚さ、すなわち貫通孔１１２の深さよりも長く形成されているため、第２のタッピンねじ部１３２が貫通孔１１２内にねじ込まれるよりも先に、第１のタッピンねじ部１３１が下穴１２２内にねじ込まれる。
【００５２】
さらにねじ部材１３０を回して第１のタッピンねじ部１３１を下穴１２２内にねじ込んでいくと、次に第２のタッピンねじ部１３２が、貫通孔１１２内にねじ込まれるようになる。
【００５３】
ここで、第２のタッピンねじ部１３２のピッチｐ２は、第１のタッピンねじ部１３１のピッチｐ１よりも大きいことから、保持枠１１０はこのピッチの差分だけ固定枠１２０から離間する。具体的には、いわゆる差動ネジにおける作用と同様に、ねじ部材１３０をねじ込む方向に１回転させる毎に、ピッチｐ２とピッチｐ１との差（ｐ２−ｐ１）だけ、保持枠１１０と固定枠１２０との距離Ａが大きくなる。
【００５４】
以上に説明したように、本実施形態のデジタルカメラ１の撮像光学系ユニット１００では、反射部材１０１を保持する保持枠１１０は、第２の光軸に沿う方向から見た場合に反射部材１０１を囲う３箇所において、二つのタッピンねじ部を有するねじ部材１３０により固定枠１２０に固定されている。
【００５５】
すなわち、保持枠１１０は、ねじ部材１３０により固定枠に対して３点支持されている。そして、本実施形態では、この３点の支持位置のそれぞれにおいて、上述のように保持枠１１０と固定枠１２０との距離Ａを、ねじ部材１３０を回転させることにより独立して変化させることが可能である。
【００５６】
また、ねじ部材１３０の１回転当たりの保持枠１１０と固定枠１２０との距離Ａの変化量は、ピッチｐ２とピッチｐ１との差分であることから、例えば単一のピッチの押しねじ又は引きねじにより保持枠１１０と固定枠１２０との距離を調整する場合に比べて、１回転当たりの変化量をより小さく設定することができる。
【００５７】
したがって本実施形態のデジタルカメラ１の撮像光学系ユニット１００では、固定枠１２０に対する保持枠１１０の角度を正確かつ容易に調整することができる。すなわち、本実施形態によれば、反射部材１０１を有する撮像光学系ユニット１において、反射部材１０１の角度の調整を、スペーサ等の他の部材を用いることなく、ねじ部材１３０のねじ込み量を変更するだけで容易かつ少ない工数で実施することができる。
【００５８】
また本実施形態では、保持枠１１０と固定枠１２０との距離Ａを調整する上記ねじ部材１３０は、同時に、第１のタッピンねじ部１３１及び第２のタッピンねじ部１３２が固定枠１２０及び保持枠１１０にねじ込まれることにより固定枠１２０と保持枠１１０とを固定する役割をも有する。
【００５９】
これは、通常の雌ねじ部に螺合される雄ねじ部とは異なり、第１のタッピンねじ部１３１及び第２のタッピンねじ部１３２は、下穴１２２及び貫通孔１１２内に食い込むように隙間がない状態でねじ込まれているからである。特に固定枠１２０及び保持枠１１０は樹脂製であり、その弾性による復元力により第１のタッピンねじ部１３１及び第２のタッピンねじ部１３２を締め込むため、両者の固定はより強固なものとなる。
【００６０】
よって、本実施形態の本実施形態のデジタルカメラ１の撮像光学系ユニット１００は、反射部材１０１の角度の調整を容易に実施可能であり、かつ調整後には衝撃が入力されても反射部材１０１の角度がずれることのない高い耐衝撃性を有するのである。
【００６１】
（第２の実施形態）  
以下、本発明の第２の実施形態について、図６及び図７を参照して説明する。図６は、第２の実施形態における保持枠と固定枠とねじ部材との関係を断面で示す図である。図７は、第２の実施形態におけるねじ部材を用いて保持枠を固定枠に固定する手順を説明する図である。
【００６２】
第２の実施形態は、上述した第１の実施形態に対して撮像光学系ユニット１００におけるねじ部材の形状、及び保持枠１１０を固定枠１２０に固定する作業手順のみが異なる。よって、以下ではこの相違点のみを説明するものとし、また、第１の実施形態と同様の構成要素については同一の符号を付し、その説明を適宜に省略するものとする。
【００６３】
第２の実施形態のねじ部材１４０は、図６に示すように、先端側に形成された、ねじ山の外径がｄ３、ねじ山のピッチがｐ３の第１のタッピンねじ部１４１と、該第１のタッピンねじ１４１と同軸上の基端側に形成された、ねじ山の外径がｄ４、ねじ山のピッチがｐ４の第２のタッピンねじ部１４２とを具備して構成されている。第１のタッピンねじ部１４１と第２のタッピンねじ部１４２のねじれ方向は同一であり、本実施形態では順ねじ方向である。
【００６４】
ここで、第２のタッピンねじ部１４２の外径ｄ４は第１のタッピンねじ部１４１の外径ｄ２よりも大きく、かつ第２のタッピンねじ部１４２のピッチｐ４は第１のタッピンねじ部１４１のピッチよりも小さい。すなわち、本実施形態では、ｄ３＜ｄ４、ｐ３＞ｐ４の関係が成り立つ。
【００６５】
また、第１のタッピンねじ部１４１の外径ｄ３は、保持枠１１０に穿設された貫通孔１１２の内径よりも小さく、かつ固定枠１２０に形成された下穴１２２内にねじ込まれた場合に該下穴１２２内にねじ立てを行いながら入り込むことが可能なように設定されている。
【００６６】
一方、第２のタッピンねじ部１４２の外径ｄ４は、保持枠１１０に穿設された貫通孔１１２内にねじ込まれた場合に該貫通孔１１２内にねじ立てを行いながら入り込むことが可能なように設定されている。
【００６７】
そして、本実施形態では、図６に示すように、ねじ部材１４０の第１のタッピンねじ部１４１が固定枠１２０に形成された下穴１２２内にねじ込まれ、かつ第２のタッピンねじ部１４２が保持枠１１０に形成された貫通孔１１２内にねじ込まれることにより、保持枠１１０は固定枠１２０に対して固定されている。このとき、保持枠１１０の固定片１１１と固定枠１２０とは、所定の距離Ａだけ離間している。
【００６８】
以下に、上述したねじ部材１４０を用いて、保持枠１１０を固定枠１２０に固定する作業手順を説明する。
【００６９】
まず、図７に示すように、保持枠１１０の固定片１１１に穿設された貫通孔１１２に対して、ねじ部材１４０の第２のタッピンねじ部１４２を所定量だけ回してねじ込む。
【００７０】
そして、第１のタッピンねじ部１４１の先端部を固定枠１２０の下穴１２２の上端に当接させた状態でねじ部材１４０を回し、第１のタッピンねじ部１４１を下穴１２２内にねじ込む。
【００７１】
ここで、第２のタッピンねじ部１４２のピッチｐ４は、第１のタッピンねじ部１４１のピッチｐ２よりも小さいことから、保持枠１１０はこのピッチの差分だけねじ部材１４０の回転に応じて固定枠１２０に接近する。具体的には、いわゆる差動ネジにおける作用と同様に、ねじ部材１４０をねじ込む方向に１回転させる毎に、ピッチｐ３とピッチｐ４との差（ｐ３−ｐ４）だけ、保持枠１１０と固定枠１２０との距離Ａが小さくなる。
【００７２】
以上のように本実施形態は、上述した第１の実施形態に比して、ねじ部材１４０をねじ込む方向に回転させた場合の、保持枠１１０と固定枠１２０との距離Ａの変化の方向が異なるものである。本実施形態の効果は、第１の実施形態と同様であるため、その説明は省略する。
【００７３】
なお、本発明は、上述した実施形態に限られるものではなく、特許請求の範囲及び明細書全体から読み取れる発明の要旨或いは思想に反しない範囲で適宜変更可能であり、そのような変更を伴うデジタルカメラもまた本発明の技術的範囲に含まれるものである。
【００７４】
本発明に係るデジタルカメラは、上述の実施形態で説明した形態に限らず、録音機器、携帯電話、ＰＤＡ、ゲーム機、デジタルビデオカメラ、デジタルメディアプレーヤー、テレビ、ＧＰＳ、時計等の電子機器に配設された撮像装置であってもよいことは言うまでもない。
【図面の簡単な説明】
【００７５】
【図１】デジタルカメラ前面側を示す斜視図である。
【図２】撮像光学系ユニットの構成を説明する図である。
【図３】保持枠を固定枠に固定する構造を説明する図である。
【図４】保持枠と固定枠とねじ部材との関係を断面で示す図である。
【図５】ねじ部材を用いて保持枠を固定枠に固定する手順を説明する図である。
【図６】第２の実施形態における保持枠と固定枠とねじ部材との関係を断面で示す図である。
【図７】第２の実施形態におけるねじ部材を用いて保持枠を固定枠に固定する手順を説明する図である。
【図８】折り曲げ光学系を有する従来のデジタルカメラの撮像光学系ユニットの構成を説明する図である。
【符号の説明】
【００７６】
１  デジタルカメラ、  １００  撮像光学系ユニット、  １０１  反射部材、  １０１ａ  反射面、  １１０  保持枠、  １１１  固定片、  １１２  貫通孔、  １１３  嵌合孔、  １２０  固定枠、  １２１  上面部、  １２２  下穴、  １２３  位置決めピン、  １２４  平面部、  １３０  ねじ部座右、  １３１  第１のタッピンねじ部、  １３２  第２のタッピンねじ部
【図１】
2009217047.tif 000003
【図２】
2009217047.tif 000004
【図３】
2009217047.tif 000005
【図４】
2009217047.tif 000006
【図５】
2009217047.tif 000007
【図６】
2009217047.tif 000008
【図７】
2009217047.tif 000009
【図８】
2009217047.tif 000010